(57)【要約】 【課題】 収納及び取出しが簡単で小さいスペース内で遮断器本体の表面に収納できるとともに,構造が簡単で安全性のある引出型回路遮断器の引出操作ハンドル装置を提供する。【解決手段】 シャフト１１とＬ字状に曲げられた操作棒１２と取出し部材１３を有し,取出し部材１３の取付部１９をシャフト１１の空洞部分１５に挿入し,操作棒１２の取付辺１７をシャフト１１の取付孔１６と取付部１９の長孔２１とを貫通させてハンドルユニットを組み立て,表面カバー１の内側に形成されたシャフト１１と操作棒１２が収納される空洞に収納する。シャフト１１の周囲にははちまき状の溝２６が形成されており,表面カバー１の表面から延びる弾性を有する保持指２５の先端がはまり込んでおり,表面カバー１の表面の取付部１９の周囲に形成された凹み２７に指をあてがって鍔２０をつまむことによって容易にハンドルユニットを取り外すことができる。【選択図】 図１
2005110350.tif 000002
【特許請求の範囲】
【請求項１】
遮断器本体の正面から奥行方向に延在するねじを回転させることによって前記遮断器本体を引出枠内で移動させる引出型回路遮断器の前記ねじに着脱自在に取り付けられるハンドル部材を有する引出操作ハンドル装置であって,
前記ハンドル部材が前記ねじに同軸上に取り付けられるシャフトとＬ字状に曲げられて取付辺と握り辺とが形成された操作棒とを有し,前記操作棒はその取付辺が前記シャフトの軸と直交するように形成された取付孔に旋回可能なように差し込まれて前記シャフトと連結されるものにおいて,
前記シャフトは該シャフトの軸方向に形成された空洞部分を有し,
前記シャフトの空洞部分に差し込まれる取付部と該取付部に前記操作棒の取付辺が貫通するように形成された孔と前記取付部の表面側端部に形成された鍔とを有する取出し部材,前記シャフトと前記操作棒の握り辺が対向した状態で前記ハンドル部材を収納する前記遮断器本体の正面から奥行方向に設けられたスペースを有する収納部材及び前記収納部材に設けられた弾性部材と前記シャフトとによって協働して前記ハンドル部材が前記シャフトの軸方向へ移動することを阻止する係合手段を有することを特徴とする引出型回路遮断器の引出操作ハンドル装置。
【発明の詳細な説明】
【技術分野】
【０００１】
本発明は,遮断器本体の正面から奥行方向に延在するねじを回転させることによって遮断器本体を引出枠内で移動させる引出操作装置を有する引出型回路遮断器の引出操作ハンドル装置,特にその収納技術に関する。
【背景技術】
【０００２】
引出型回路遮断器は,引出枠と遮断器本体を有し主回路と補助回路が接続した接続位置と両回路が断路した断路位置との間で遮断器本体が移動可能なように構成されている。このような引出型回路遮断器が配電盤内に取り付けられる場合は,遮断器本体の表面部が配電盤の扉に形成された孔と同一平面となるように配置されることが多い。この場合は,断路位置に移動した時遮断器本体の一部が扉の表面から突き出るようになる。
引出型回路遮断器には,正面側から奥行方向に向けて延在するおねじと,このおねじと同軸上に固定して設けられためねじを備え,おねじを回転することによってねじ込み量が変化することに追随して遮断器本体が移動するようにした引出操作装置を有するものがある。
このような引出操作装置において,おねじの正面側の先端に着脱自在の操作ハンドルをおねじと同軸上に取り付けておねじを回転させる構造のものが特許文献１に開示されている。
【特許文献１】特開２００１−０３７０２３号公報（図２）
【発明の開示】
【発明が解決しようとする課題】
【０００３】
上述した従来の操作ハンドルは着脱自在のクランク形のものであるが,特許文献１にはその収納方法についての開示がない。多くの場合,このような操作ハンドルは回路遮断器を収納する配電盤内に収納される。しかし,この場合は,配電盤の扉を開ける必要があり安全性に問題がある。
したがって,この発明の目的は,構造が簡単で,遮断器の寸法を大きくすることなく遮断器の表面から収納および取出しができる安全性に優れた引出型回路遮断器の引出操作ハンドル装置を提供することにある。
【課題を解決するための手段】
【０００４】
上記の問題を解決するために,請求項１の発明は,遮断器本体の正面から奥行方向に延在するねじを回転させることによって遮断器本体を引出枠内で移動させる引出型回路遮断器のねじに着脱自在に取り付けられるハンドル部材を有する引出操作ハンドル装置であって,ハンドル部材がねじに同軸上に取り付けられるシャフトとＬ字状に曲げられて取付辺と握り辺とが形成された操作棒とを有し,操作棒はその取付辺がシャフトの軸と直交するように形成された取付孔に旋回可能なように差し込まれてシャフトと連結されるものにおいて,シャフトは該シャフトの軸方向に形成された空洞部分を有し,シャフトの空洞部分に差し込まれる取付部と該取付部に操作棒の取付辺が貫通するように形成された孔と取付部の表面側端部に形成された鍔とを有する取出し部材,シャフトと操作棒の握り辺が対向した状態でハンドル部材を収納する遮断器本体の正面から奥行方向に設けられたスペースを有する収納部材及び収納部材に設けられた弾性部材とシャフトとによって協働してハンドル部材がシャフトの軸方向へ移動することを阻止する係合手段を有することとしている。
【発明の効果】
【０００５】
本発明は,上述したように,シャフトに回転自在に取り付けられたＬ字状の操作棒をシャフトと握り辺を近接して対向した状態で収納するように構成しているため正面から見たとき及び奥行方向に大きな収納スペースを必要とすることがなく,さらに,ハンドル部材を収納したときは係合部材の作用によって簡単に脱落することがなく,シャフトから外れないように取り付けられた取出し部材の鍔を掴むことによって容易に取り外すことができる,構成が簡単で安全性に富んだ引出操作ハンドル装置を提供できるという効果を奏する。
【発明を実施するための最良の形態】
【０００６】
本発明の実施の形態を,図１ないし図６に示されている実施例において説明する。図２は本実施例の引出操作ハンドル装置を備えた引出型回路遮断器の遮断器本体の正面図であって熱可塑性成型絶縁物製の表面カバー１を有し,引出操作装置と本実施例による引出操作ハンドル装置はこの遮断器本体の下部に設けられている。
【０００７】
図３は,この実施例の引出操作ハンドル装置によって操作される引出操作装置の要部を示す側面図であって,その詳細な説明を省略するが,断面がコ字状のおねじ保持枠２と,奥行側におねじ３が形成され表面側に断面が六角形のハンドル装着穴４が形成され保持枠２によって保持されたおねじシャフト５と,正面から見た時の断面が冂字状のラック６と,ラック６に固定的に設けられたナット状のめねじ７と,歯車８とを含んでいる。そして,おねじシャフト５を回転させることによってラック６が図３において左右方向に移動し,ラック６に形成された複数の孔９に歯車８の歯が噛み合い,歯車８とともに引出メインシャフト１０が回転して遮断器本体が移動する構成となっている。
【０００８】
このおねじシャフト５を回転させる本実施例の引出操作ハンドル装置は,直線状の金属性シャフト１１とＬ字状に曲げられた金属性操作棒１２とからなるハンドル部材と,収納されたハンドル部材を取り出す熱可塑性成型絶縁物である取出し部材１３を有する。
シャフト１１は円筒状であって,その一端部に断面が六角形の取付端１４を有する金属棒が溶接され,他端部の空洞部分１５にシャフト１１の軸方向と直交する方向に形成された操作棒１２の取付孔１６を有している。
操作棒１２は,短い取付辺１７と長い握り辺１８とを有するＬ字状に曲げられた断面が円形の部材である。
取出し部材１３は,円筒形状の取付部１９と取付部１９の端部に設けられシャフト１１の外径よりやや大きい直径の鍔２０とを有し,取付部１９にはシャフト１１の軸方向と直交する方向に長孔２１が形成されている。
【０００９】
このハンドル部材と取出し部材１３を組み合わせたハンドルユニットの組立は次のように行われる。すなわち,取付部１９をシャフト１１の空洞部分１５に挿入し,操作棒１２の取付辺１７をシャフト１１の取付孔１６と取出し部材１３の長孔２１とを貫通させて,取付辺１７の先端部に形成された小孔に取付ピン２２を打ち込む。このように組み立てられたハンドル部材の操作棒１２は取付辺１７を中心としてシャフト１１上を旋回させることができ,図１に示されているようにシャフト１１と操作棒１２の握り辺１８が近接して対向するような状態とすることもでき,図３に示されているようにシャフト１１と握り辺１８が直交するような状態とすることもできる。このハンドルユニットは,図３に示されているように,表面カバー１の孔２３を挿通してシャフト１１の取付端１４をおねじシャフト５のハンドル装着孔４に挿入することによって引出操作装置に取り付けて,握り辺１８がシャフト１１と直交するように操作棒１２を旋回させて,握り辺１８を握ってシャフト１１を回転させる。
【００１０】
このハンドルユニットは,表面カバー１の内側に収納される。図４は図１のＸ−Ｘから見た表面カバー１の断面図であってシャフト１１と操作棒１２が収納される空洞２４と後述する保持指２５を示している。図４及び図５を参照して,シャフト１１の周囲にははちまき状の溝２６が形成されており,はちまき上の状の溝２６には表面カバー１の表面から延びて対向する保持指２５の先端がはまり込んでいる。保持指２５は熱可塑性成型部材で弾性を有しているためハンドルユニットを収納された状態で容易に脱落しないように保持する。図５及び図６を参照して,表面カバー１の表面には取付部１９の周囲に凹み２７が形成されている。この凹み２７に指をあてがって鍔２０をつまむことによって容易にハンドルユニットを取り外すことができる。
【図面の簡単な説明】
【００１１】
【図１】本発明による引出操作ハンドル装置の実施例を示す側面断面図である。
【図２】図１の実施例を設けた遮断器本体の正面図である。
【図３】図１の実施例によって操作される引出操作装置の部分側面図である。
【図４】図１のＸ−Ｘから見た断面図である。
【図５】図１を正面から見た図である。
【図６】図５をＹ−Ｙから見た断面図である。
【符号の説明】
【００１２】
１  表面カバー,３  おねじ,４  ハンドル装着穴,５  おねじシャフト,７  めねじ,１１  シャフト,１２  操作棒,１３  取出し部材,１４  取付端,１５  空洞部分,１６  取付孔,１７  取付辺,１８  握り辺,１９  取付部,２０  鍔,２４  空洞,２５  保持指,２６  はちまき状の溝,２７  凹み
【図１】
2005110350.tif 000003
【図２】
2005110350.tif 000004
【図３】
2005110350.tif 000005
【図４】
2005110350.tif 000006
【図５】
2005110350.tif 000007
【図６】
2005110350.tif 000008